(57)【要約】【課題】使用済みの吸収性物品をより衛生的に廃棄するために使用できる吸収性物品用の包装構造体を提供する。【解決手段】長手方向及び短手方向を有する包装シートと、前記包装シートに重ねられた補助シートとを備え、吸収性物品を前記補助シートに載置して折り畳むことによって当該吸収性物品を包装する包装構造体であって、前記補助シートは、前記包装シートに対し固着された固着部と、前記包装シートから剥離可能な粘着部とを有し、前記固着部を基点として長手方向に裏返すことで前記包装シートの前記長手方向の端縁を越えて延出可能である。【選択図】図２
2020162652.tif 000002
【特許請求の範囲】
【請求項１】
長手方向及び短手方向を有する包装シートと、前記包装シートに重ねられた補助シートとを備え、吸収性物品を前記補助シートに載置して折り畳むことによって当該吸収性物品を包装する包装構造体であって、
前記補助シートは、前記包装シートに対し固着された固着部と、前記包装シートから剥離可能な粘着部とを有し、前記固着部を基点として長手方向に裏返すことで前記包装シートの前記長手方向の端縁を越えて延出可能である、包装構造体。
【請求項２】
前記補助シートが裏返される前の状態で、前記粘着部の位置に、前記包装シートと前記補助シートとの間に下側粘着剤層が介在し、
前記補助シートが裏返された状態で、前記包装シートに、前記下側粘着剤層の少なくとも一部が配置されている、請求項１に記載の包装構造体。
【請求項３】
前記包装シートの、少なくとも前記下側粘着剤層が配置されている領域は、前記下側粘着剤層に対する非剥離面となっている、請求項２に記載の包装構造体。
【請求項４】
前記吸収性物品が包装された状態で、前記吸収性物品と前記補助シートとの間に上側粘着剤層が介在し、
前記吸収性物品が取り去られた後の状態で、前記上側粘着剤層のうち第１部分は前記吸収性物品に配置され、第２部分は前記補助シートに配置されている、請求項１から３のいずれか一項に記載の包装構造体。
【請求項５】
前記補助シートの、少なくとも前記第１部分に対向する領域は、前記上側粘着剤層に対する剥離面となっている、請求項４に記載の包装構造体。
【請求項６】
請求項１から５のいずれか一項に記載の包装構造体と、吸収性物品とを含む、包装吸収性物品。
【発明の詳細な説明】
【技術分野】
【０００１】
本発明は、包装構造体、及び包装吸収性物品に関する。
【背景技術】
【０００２】
吸収性物品として、生理用ナプキン、パンティライナー、失禁パッド等が知られている。このような吸収性物品を使用した後、新しいものと交換する場合、使用者は、使用済みの吸収性物品を廃棄する必要が生じる。その際、使用者は、使用済み物品を、これから使用する新しい吸収性物品の包装シート、すなわち新しい吸収性物品を開封して中身（吸収性物品）を取り出した後に残されたに包装シートによって包んで廃棄することが多い。そのため、近年では、廃棄時にも用いることができる包装シートの構成が様々に工夫されている。
【０００３】
例えば、特許文献１には、包装フィルム１４が、その少なくとも一部に袋状部１４ａを備えた吸収性物品の個包装体であって、使用済ナプキン２１の廃棄にあたり、使用済ナプキン２１を袋状部１４ａに入れ取付テープ１３で止めるように使用されるものが開示されている。
【先行技術文献】
【特許文献】
【０００４】
【特許文献１】特開２００１−８７３０６号公報
【発明の概要】
【発明が解決しようとする課題】
【０００５】
しかしながら、特許文献１に開示の構成では、使用済み物品の廃棄の際に、使用済み物品を袋状部の開口から押し込む必要がある。このような押し込む動作では、場合によっては使用済み物品に力を加える必要があるため煩雑である。また、使用済み物品に吸収されていた体液が滲み出て手に付着する可能性もあり、使用済み物品を衛生的に廃棄できない場合がある。
【０００６】
上記の点に鑑みて、本発明の一態様は、使用済みの吸収性物品をより衛生的に廃棄するために使用できる吸収性物品用の包装構造体を提供することを課題とする。
【課題を解決するための手段】
【０００７】
本発明の第一の態様は、長手方向及び短手方向を有する包装シートと、前記包装シートに重ねられた補助シートとを備え、吸収性物品を前記補助シートに載置して折り畳むことによって当該吸収性物品を包装する包装構造体であって、前記補助シートは、前記包装シートに対し固着された固着部と、前記包装シートから剥離可能な粘着部とを有し、前記固着部を基点として長手方向に裏返すことで前記包装シートの前記長手方向の端縁を越えて延出可能である。
【０００８】
上記第一の態様によれば、包装構造体が、包装シートと、裏返すことで包装シートの長手方向の端縁を越えて延出可能になっている補助シートとを備えている。そのため、吸収性物品が包装された状態から中身（吸収性物品）を取り出した後、補助シートを裏返すことで、本来の包装シートの長手方向長さよりも延長された長さを有する構造体を得ることができる。このような包装構造体を、使用済み吸収性物品を包むための廃棄用シートとして用いた場合、延出部分を利用して、より衛生的に使用済み物品を包んで廃棄することができる。
【０００９】
例えば、使用済みの吸収性物品（使用済み物品ともいう）を包装シートで包む場合、一般には、展開された包装シートの上に使用済み物品を置き、包装シートの長手方向の端部が使用済み物品の上に被さるように畳むか又は巻き付ける。その際、物品の汚れが酷い場合等には、包装シートの端部を被せる動作の際に体液が手に付着してしまう可能性がある。これに対し、本態様によれば、包装シートの端部ではなく、包装シートの端部から離れた位置にある補助シートの延出部分の端部を持って、間接的に包装シートを引っ張って使用済み物品に被せることができる。言い換えると、包装構造体を、使用済み物品から離れた位置で把持して、使用済み物品を包むことができるので、手を汚しにくい。
【００１０】
本発明の第二の態様では、前記補助シートが裏返される前の状態で、前記粘着部の位置に、前記包装シートと前記補助シートとの間に下側粘着剤層が介在し、前記補助シートが裏返された状態で、前記包装シートに、前記下側粘着剤層の少なくとも一部が配置されている。
【００１１】
上記第二の態様によれば、補助シートを裏返す前の状態で包装シートと補助シートとの間に介在していた下側粘着剤層の少なくとも一部が、補助シートを裏返した後には、包装シートに留まるように構成されている。そのため、本態様による包装構造体で使用済み物品を包む際に、包装シートを、当該包装シートが接触するもの（使用済み物品、補助シート、又は包装シート外面等）に、より確実に貼り付けることができ、包んだ後に包装シートが開いて外れることを防止できる。
【００１２】
本発明の第三の態様では、前記包装シートの、少なくとも前記下側粘着剤層が配置されている領域は、前記下側粘着剤層に対する非剥離面となっている。
【００１３】
上記第三の態様によれば、包装シートにおける、下側粘着剤層が配置される領域が非剥離面、すなわち、粘着剤との親和性が高く下側粘着剤層から剥離しにくい面となっている。よって、その非剥離面となっている部分では、補助シートを包装シートから剥がす際に粘着剤層が包装シート側により確実に繋ぎとめられ、包装シート上に粘着剤層を形成することができる。
【００１４】
本発明の第四の態様は、前記吸収性物品が包装された状態で、前記吸収性物品と前記補助シートとの間に上側粘着剤層が介在し、前記吸収性物品が取り去られた後の状態で、前記上側粘着剤層のうち第１部分は前記吸収性物品に配置され、第２部分は前記補助シートに配置されている。
【００１５】
上記第四の態様によれば、吸収性物品が包装された状態で、吸収性物品と補助シートとの間に上側粘着剤層が介在しており、包装構造体から吸収性物品が取出された後には、粘着剤層の一部分（第２部分）が補助シートに配置されている。すなわち、補助シートの上面、すなわち包装シートに対向する面とは反対側の面に、粘着剤層が配置される。そのため、包装構造体の補助シートを裏返した後、包装構造体で使用済み物品を包んでいく際、先に補助シートを使用済み物品に被せることができるが、例えば補助シートの上にさらに包装シートを被せる場合、包装シートを補助シートに貼り付けることができ、包んだ後に包装シートが外れることを防止することができる。一方、上側粘着剤層のうち別の部分（第１部分）は吸収性物品に配置されるので、第１部分は、取出された吸収性物品のズレ止め材として機能することができる。
【００１６】
本発明の第五の態様では、前記補助シートの、少なくとも前記第１部分に対向する領域は、前記上側粘着剤層に対する剥離面となっている。
【００１７】
上記第五の態様によれば、補助シートにおける、上述の上側粘着剤層の第１部分に対応する領域、すなわち吸収性物品に配置される上側粘着剤層の部分に対応する領域が、剥離面、すなわち、粘着剤との親和性が低く、上側粘着剤層から剥がれやすい面となっている。これにより、吸収性物品と補助シートとを剥がす際に、上側粘着剤層の第１部分は、より確実に補助シートから離れて、吸収性物品に留まることができる。
【００１８】
本発明の第六の態様では、第一から第五のいずれかの包装構造体と、吸収性物品とを含む。
【００１９】
上記第六の態様によれば、第一から第五のいずれかの態様で得られる効果と同様の効果を奏する包装吸収性物品を提供することができる。
【発明の効果】
【００２０】
本発明の一態様によれば、使用済みの吸収性物品をより衛生的に廃棄するために使用できる吸収性物品用の包装構造体を提供することができる。
【図面の簡単な説明】
【００２１】
【図１】本発明の実施形態による包装構造体を展開した状態の平面図及び断面図、並びに包装構造体によって包装される吸収性物品の部分破断図である。
【図２】本発明の実施形態による包装構造体の構造について説明する斜視図である。
【図３】本発明の実施形態による包装構造体の構造について説明する断面図である。
【図４】本発明の実施形態による包装構造体の廃棄用シートとしての使用例について説明する図である。
【図５】本発明の実施形態による包装構造体の廃棄用シートとしての別の使用例について説明する図である。
【図６】本発明の実施形態による包装構造体の第１変形例を示す。
【図７】本発明の実施形態による包装構造体の第２変形例を示す。
【発明を実施するための形態】
【００２２】
以下、図面を参照しながら、本発明の実施形態を詳説する。なお、各図面において、特に説明がない限り、同一の又は対応する構成については同一の符号を付して説明を省略する場合がある。また、図面は、発明の理解を助けるための模式的なものであり、説明を分かりやすくするために、構成要素を省略して示す場合がある。
【００２３】
図１（ａ）に、本発明の実施形態による包装構造体５０を展開した状態で、包装構造体５０によって包装される吸収性物品１とともに示す。図１（ａ）は、包装構造体５０によって吸収性物品１が包装されてなる包装吸収性物品１００を展開した図ともいえる。また、図１（ｂ）に、図１（ａ）のＩ−Ｉ線断面図を、図１（ｃ）に、図１（ａ）に示す吸収性物品１の詳細を表示した部分破断図を示す。
【００２４】
図１（ａ）及び（ｂ）に示すように、包装構造体５０は、包装シート１０と、包装シート１０に重ねられた補助シート２０とを有する。包装シート１０は、平面視で長方形の細長形状を有していてよい。すなわち、包装シート１０は、展開状態で長手方向Ｄ１、及び長手方向Ｄ１に直交する短手方向Ｄ２を有する形状となっている。但し、包装シート１０の形状は、必ずしも長方形でなくともよく、例えば四角形以外の角形や長楕円形等にすることもできる。なお、包装シート１０の長手方向Ｄ１及び短手方向Ｄ２は、包装構造体の長手方向及び短手方向に相当する。よって、以下、長手方向Ｄ１という場合には、包装シート１０、及び包装構造体５０全体の長手方向を指し、短手方向Ｄ２という場合には、包装シート１０、及び包装構造体５０全体の短手方向を指す。
【００２５】
包装シート１０の大きさ及び形状は、吸収性物品を露出しないように包むことができるのであれば、特に限定されない。包装シート１０の寸法は、包装する吸収性物品の大きさや形状に応じて、長手方向Ｄ１の長さ（単に長さと呼ぶ場合がある）は１００〜４５０ｍｍとすることができ、短手方向Ｄ２の長さ（幅と呼ぶ場合がある）は７０〜２５０ｍｍとすることができる。
【００２６】
補助シート２０は、固着部２１において包装シート１０に対し固着されている、すなわち剥離不能に固定されている一方、粘着部２２（２２ａ、２２ｂ）において包装シート１０に対し剥離可能に粘着されている（貼り付けられている）。図１（ａ）及び（ｂ）に示すように、固着部２１及び粘着部２２は、長手方向Ｄ１に沿って位置していてよい。以下、包装シート１０の長手方向Ｄ１の両端のうち、補助シート２０の固着部２１が位置する側の端を一端１１とし、粘着部２２、２２が位置する側の端を他端１２とする。
【００２７】
本明細書において、剥離不能とは、使用者の通常の動作で剥離ができないことを指す。よって、本形態による包装構造体５０から吸収性物品１を取り出したり、包装構造体５０によって、使用済み物品を包んだりしている間、補助シート２０は包装シート１０から離脱せず、接合したままとなっている。一方、剥離可能とは、使用者が通常の動作において加えることができる範囲内の力で、剥離させることができることを指す。よって、補助シート２０は、粘着部２２にて包装シート１０に貼り付いており、軽く固定されている。しかし、例えば補助シート２０の端部を持って包装シート１０から引っ張ると、粘着部２２で貼り付いていた補助シート２０と包装シート１０とは互いに剥がれる。
【００２８】
包装構造体５０で吸収性物品１を包装する場合、図１（ａ）及び（ｂ）に示すように、吸収性物品１を包装構造体５０の補助シート２０に載置する。その後、包装シート１０を吸収性物品１とともに折り畳むことができる。例えば、包装シート１０（図示の形態では包装シート１０及び補助シート２０）を、吸収性物品１が内部になるようにして、短手方向Ｄ２沿った折り線で長手方向Ｄ１に巻き三つ折りすることができる。巻き三つ折り後、短手方向Ｄ２の両縁部は、ヒートシール等によってシールされ、タブテープ１５で止着される。これにより、吸収性物品１を、外部に露出しないようにした包装吸収性物品を得ることができる。
【００２９】
本形態による包装構造体５０によって包装することができる吸収性物品１は、図１（ｃ）に示すように、生理用ナプキン、パンティライナー（おりものシート）、失禁パッド等であってよい。その基本的な構成としては、図１（ｃ）に示すように、不透液性の裏面シート２と、透液性の表面シート３と、これらの両シート２、３間に設けられた吸収体４とを備えたものとすることができる。
【００３０】
吸収性物品１は、図１（ａ）及び（ｃ）に示すような全体として細長形状の平面視形状を有するものであってよい。そして、吸収性物品１には、図１（ｃ）に示すように、短手方向の両側に、長手方向に沿ってサイドシート７、７が配置されていてもよい。サイドシート７は、体液の浸透防止等のために、表面シート３に重ねて配置することができる。また、吸収性物品１は、本体の長手方向の中央付近から短手方向の両外方にそれぞれ延出するフラップ状の部分（ウィング）を備えていてもよい。このようなウィングは、サイドシート７及び裏面シート２の短手方向外方への延出部分を接合させて構成することができる。吸収性物品１がウィングを備えている場合、吸収性物品１を包装構造体５０で包装する際に、予めウィングを短手方向内方へ表面シート３側に折り畳んでおき、上述のように長手方向Ｄ１に折り畳むことができる。
【００３１】
図１（ｂ）に示すように、吸収性物品１と包装構造体５０との間には、粘着剤層（上側粘着剤層）４２が配置されている。当該上側粘着剤層４２は、吸収性物品１を包装構造体５０から取り去る際、少なくとも吸収性物品１に付随するようになっている。吸収性物品１に付随した粘着剤層は、吸収性物品１を装着する際に下着に吸収性物品１を貼り付けて固定するズレ止め材として機能することができる。上側粘着剤層４２は、吸収性物品１と包装構造体５０との間で、全面に又は部分的に配置することができる。また、連続して又は間欠的に配置することができる。
【００３２】
また、補助シート２０と包装シート１０との間には、粘着剤層（下側粘着剤層）４１が配置されている。粘着剤層４１は、補助シート２０の粘着部２２に対応する位置に少なくとも設けられており、図示の形態では、粘着部２２ａ及び２２ｂにそれぞれ対応する粘着剤層４１ａ及び４１ｂとなっている。また、補助シート２０と包装シート１０との間には、固着用の接着剤層４５が配置されており、固着部２１において補助シート２０と包装シートとが互いに脱離しないようになっている。上記粘着剤層４１は、接着剤層４５が配置されている部分を除いた部分の全体に又は部分的に、配置することができる。また、粘着剤層４１は、連続的に配置してもよいし、図示の形態にように、複数の粘着剤層を間欠して配置していてもよい。
【００３３】
上側粘着剤層４２及び下側粘着剤層４１のいずれについても、用いられる材料は、例えばホットメルトタイプの粘着剤とすることができる。粘着剤は、主成分としてスチレン系ポリマー、粘着付与剤、及び可塑剤、並びにこれらの組合せを含有しているものが好ましい。
【００３４】
次に、図２（ａ）〜（ｃ）及び図３（ａ）〜（ｃ）を参照して、本発明の実施形態による包装構造体５０の構成及び機能についてさらに詳説する。図２（ａ）〜（ｃ）は、包装構造体５０の模式的な斜視図であり、図３（ａ）〜（ｃ）はそれぞれ、図２（ａ）〜（ｃ）に示す包装構造体５０の長手方向Ｄ１に沿った断面図（ＩＩ−ＩＩ線断面図）を示す。
【００３５】
図２（ａ）及び図３（ａ）には、図１（ａ）及び（ｂ）に示す包装吸収性物品１００を展開した状態（包装構造体５０に吸収性物品１を載置した状態）から、吸収性物品１を取り去った状態を示す。本例では、図２（ａ）及び図３（ａ）に示すように、吸収性物品１を補助シート２０から剥がす際に、吸収性物品１の裏面シート側に上述の上側粘着剤層４２が付随し、補助シート２０の上側（包装シート１０と対向する側とは反対側）には粘着剤層は設けられていない。
【００３６】
上述のように吸収性物品１を取り去ることで、補助シート２０が露出する。図２（ｂ）及び図３（ｂ）に、吸収性物品１のない、包装シート１０と補助シート２０とからなる包装構造体５０を示す。
【００３７】
図２（ｂ）に示すように、補助シート２０は、細長形状、より具体的には帯状の平面視形状とすることができる。そして、補助シート２０は、補助シート２０の長手方向が包装構造体５０の長手方向Ｄ１、すなわち包装シート１０の長手方向Ｄ１に沿うように、且つ補助シート２０の短手方向が包装構造体５０の短手方向Ｄ２、すなわち包装シート１０の短手方向Ｄ２に沿うように配置されている。
【００３８】
補助シート２０の寸法及び形状は、吸収性物品１を包装する際に、包装後に得られる包装吸収性物品からはみ出ることなく、且つ包装後に包装シート１０の短手方向Ｄ２の両縁部がシールされる場合には、シール部に重ならないようにすることが好ましい。補助シート２０の長手方向Ｄ１の長さＬは、９０〜４４０ｍｍとすることができる。また、補助シート２０の短手方向Ｄ２の長さＷは、６０〜２４０ｍｍとすることができる。
【００３９】
なお、補助シート２０は、包装シート１０からはみ出る寸法及び形状を有していてもよいが、その場合には、補助シート２０を折り畳み可能とし、折り畳み後に上述の長手方向長さ及び短手方向長さを有するように構成してもよい。
【００４０】
図２（ｂ）及び図３（ｂ）に示すように、補助シート２０は、包装シート１０に対して剥離不能に固定された固着部２１と、包装シート１０に対して剥離可能に粘着された粘着部２２とを有している。固着部２１及び粘着部２２はそれぞれ１つの部分であってもよいし、それぞれ複数の部分に分かれていてもよい。例えば、図示のように、粘着部２２が、固着部２１に近い方の粘着部２２ａと、遠い方の粘着部２２ｂとの２つの部分を有していてもよい。
【００４１】
そして、補助シート２０は、図２（ｂ）及び図３（ｂ）に示すように、長手方向Ｄ１の粘着部２２が位置する側から、矢印に示すように包装シート１０から剥がし、包装シート１０の長手方向Ｄ１の一端１１に向かって裏返すことができる。このとき、固着部２１が、補助シート２０を裏返す際の基点となる。すなわち、補助シート２０は、固着部２１の位置、より具体的には固着部２１の、包装シート１０の他端１２側の位置（固着用接着剤層４５が設けられている他端１２側の端部位置）で折り曲げられる。
【００４２】
固着部２１は、吸収性物品１が包装されている状態では、補助シート２０がズレたり、折れ曲がったりすることを防止する機能も有する。しかし、固着部２１は、補助シート２０が裏返されて包装シート１０の長手方向Ｄ１の端縁から延出できるような位置に、好ましくは補助シート２０の長手方向の端縁寄りに配置されている。そのため、補助シート２０の固着部２１から離れた部分においては、補助シート２０がズレたり折れ曲がったりする可能性がある。これに対し、粘着部２２が設けられていることで、吸収性物品１が包装されている状態で、補助シート２０を所定位置に保持することが可能となるとともに、包装構造体５０を廃棄用シートとして使用する際には補助シート２０を簡単に裏返すことができる。
【００４３】
図２（ｃ）及び図３（ｃ）に、補助シート２０が裏返された後の状態を示す。図２（ｃ）及び図３（ｃ）に示すように、補助シート２０は、包装シート１０の長手方向Ｄ１の一端１１を越えて延出している。補助シート２０の裏返し後の延出部分の長さΔＬは、３０〜３８０ｍｍとすることができる。
【００４４】
なお、図２（ｃ）及び図３（ｃ）に示すように、補助シート２０の裏返しの際には、包装シート１０と補助シート２０との間に介在していた下側粘着剤層４１が補助シート２０に付随する。このような下側粘着剤層４１があることによって、包装構造体５０で使用済み物品を包む際に、補助シート２０を使用済み物品に直接被せる場合等には、補助シート２０を使用済み物品へより確実に貼り付けることができる。
【００４５】
なお、下側粘着剤層４１を補助シート２０に付随させるためには、補助シート２０の、少なくとも下側粘着剤層４１に対応する面を、粘着剤との親和性が高い非剥離面とし、包装シート１０の、少なくとも下側粘着剤層４１に対応する面を、粘着剤との親和性が低い剥離面としておくことができる。
【００４６】
次に、図４を参照して、使用済み物品１ａを廃棄するために、本形態による包装構造体５０を用いて使用済み物品１ａを包む動作（包み動作）について説明する。図４（ａ）に示すように、包装構造体５０は、包装されていた吸収性物品を取り出した後、包装シート１０を広げて平面状とし、さらに補助シート２０を裏返して長手方向Ｄ１の一端１１から延出した状態で準備する。そして、包装シート１０の内面に、使用済み物品１ａを載せる。使用済み物品１ａは、折り畳まれるか、物品の長手方向に丸められて円筒に近い形状とされることが多い。図４においては、略円筒形に丸められた使用済み物品１ａを例として、使用済み物品を包む動作について説明する。
【００４７】
使用済み物品１ａは、例えば、図４（ａ）に示すように、包装シート１０の長手方向Ｄ１中央付近に置くことができる。この際、使用済み物品１ａは、裏返された補助シート２０の上に載らないようにすることが好ましい。続いて、使用者は、補助シート２０の先端を持って、図４（ａ）の矢印に示すように引っ張ることができる。これにより、図４（ｂ）に示すように、補助シート２０が固着されている包装シート１０も引っ張ることができる。
【００４８】
そして、引き続き、補助シート２０を持って、補助シート２０の先端が包装シート１０の他端１２側を向くまで引っ張ることができる（図４（ｃ））。これにより、包装シート１０の一部を使用済み物品１ａに巻き付けることができる。この際、補助シート２０も、使用済み物品１ａに直接被せることができるので、補助シート２０によって使用済み物品１ａを押さえることができる。このとき、補助シート２０の、裏返しによって露出した面に粘着剤層４１が配置されている場合には（図２（ｃ）及び図４（ａ））、補助シート２０を使用済み物品１ａに被せたときに、補助シート２０を使用済み物品１ａに貼り付けることができる。これにより、安定した包み動作を得ることができるし、包んだ後に包装構造体５０が使用済み物品１ａから外れにくくなる。また、一般的に、使用済み吸収性物品１ａは、裏面シート側が外側になるように（体液が付着している側が内側になるように）丸められることが多いので、裏面シート側に配置されたズレ止め用の粘着剤層が露出している場合が多い。そのため、図４（ａ）に示すように、補助シート２０に粘着剤層４１が配置されていなくても、補助シート２０を使用済み物品１ａに貼り付けることができる。
【００４９】
図４（ｃ）の状態からは、さらに補助シート２０を引っ張ることによって、包装シート１０の一端１１を使用済み物品１ａに被せることができる（図４（ｄ））。その後は、包装シート１０の他端１２に向かって使用済み物品１ａを転がして巻いていってもよいし、包装シート１０の他端１２を被せてもよい。
【００５０】
このように、本形態による包装構造体５０によって、使用済み物品１ａを包む際、より具体的には、包装シート１０上に使用済み物品１ａを置いて包装シート１０の端部を使用済み物品１ａに被せる際、包装シート１０を持たずに、包装シートの端部から離れた位置にある補助シートの延出部分を持って、間接的に包装シート１０を引っ張って持ち上げることができる。
【００５１】
さらに、図５を参照して、本形態による包装構造体５０を用いて使用済み物品１ａを包む動作の別例について説明する。
【００５２】
まず、図５（ａ）に示すように、包装構造体５０を広げ、補助シート２０を裏返して長手方向Ｄ１の一端１１から延出させた後、包装シート１０の内面に、使用済み物品１ａを載せる。使用済み物品１ａは、本例による包み動作でも、長手方向に丸められて略円筒形となっているものとする。ここまでの動作は、図４を参照して説明したものと同様である。
【００５３】
本例による包み動作では、図５（ａ）における矢印で示すように、包装シート１０の長手方向Ｄ１の他端１２側の部分を先に、矢印で示すように使用済み物品１ａに被せることができる（図５（ｂ））。そして、図５（ｂ）の状態から、矢印で示すように、補助シート２０の先端を持って補助シート２０を引き上げて長手方向Ｄ１に引っ張る。これにより、補助シート２０と一緒に、補助シート２０の上に載っている包装シート１０の部分（包装シート１０の他端１２側の部分）を引き上げることができる。ここで、使用済み物品１ａの裏面シート側に粘着剤層が存在する場合には、包装シート１０が使用済み物品１ａに貼り付きやすくなるので、図５（ｃ）に示すように、包装シート１０の他端１２側の部分が折り返されて、使用済み物品１ａに巻き付けられる。
【００５４】
さらに、図５（ｃ）の状態から、引き続き、補助シート２０の先端を持って包装シート１０の他端１２側へと引っ張ることで、補助シート２０に追随して、補助シート２０が固着されている包装シート１０の一端１１側の部分も引っ張られ、持ち上げられる。そして、補助シート２０を、包装シート１０の一端１１側とともに使用済み物品１ａに巻き付け、最後は、タブテープ１５で止着することができる（図５（ｄ））。その際、タブテープ１５は、補助シート２０に止着される。
【００５５】
使用済み物品を包装シートで包む場合には、包み動作中、使用済み物品に付着した体液、例えば使用済み物品の幅方向端部からはみ出した体液に触れてしまい、手を汚してしまうことがある。また、使用者によっては、体液に触れないまでも、使用済み物品自体に触れる機会及び時間はなるべく減らしたいと考える者もいる。これに対し、本形態によれば、図４又は図５を参照して説明したような包み動作により、少なくとも一方の手で、包装シート１０から離れた位置にある補助シート２０を持って包装シート１０を動かすことができる。このため、包み動作中、使用済み物品自体に触れる機会を減らすことができ、使用済み物品に付着した体液に触れる可能性を低減することができる。そのため、使用済み物品を衛生的に包んで廃棄することができる。特に、図４に示す包動作では、包み動作の初期の動作から、使用済み物品に触れる機会を低減することができる。
【００５６】
また、夜用又は多い日用といった大型の吸収性物品を、通常又は小さなサイズの吸収性物品に交換する場は、通常又は小さなサイズの包装シートで、大型の使用済み吸収性物品を包む必要がある。そのような場合、使用済み物品に付着した体液に触れる可能性が大きくなるが、本形態によれば、包装シート１０から延出する補助シート２０を持って包み動作を行うことができるので、使用済み吸収性物品が大型であっても、より衛生的に廃棄することができる。
【００５７】
なお、使用済み物品１ａを包む動作は図示の例に限られない。例えば、図４及び図５に示す例では、使用済み物品１ａを、使用済み物品１ａの短手方向が包装構造体５０（包装シート１０）の短手方向Ｄ２に沿うように置いて包む動作について説明したが、使用済み物品１ａの短手方向が包装構造体５０の長手方向Ｄ１に沿うように置いて、包み動作を開始することもできる。その場合、補助シート２０の先端を持って包装シートを持ち上げることで、使用済み物品１ａの短手方向端部をより確実に覆うことができる。使用済み吸収性物品１ａが多量の体液を含んでいた場合、特に丸められたり折り畳まれたりされた状態では、体液は幅方向端部から滲み出やすくなっているので、使用済み物品１ａの短手方向端部を覆う際には、特に体液が手に付きやすい。しかし、本形態によれば、使用済み物品１ａの短手方向端部を覆う場合でも、包装シート１０を直接持たず、包装シート１０から離れた補助シート２０を持って包み動作を行うことができるので、使用済み物品１ａをより衛生的に包むことができる。
【００５８】
包装シート１０は、樹脂製フィルム、不織布、紙等から形成されていてよい。包装シート１０は、これらの所定の材料からなる単層のシートであってもよいし、異なる材料からなる複数の層を積層させてなる積層シートであってもよい。
【００５９】
補助シート２０の材料も特に限定されず、樹脂製フィルム、不織布、紙等を用いることができる。補助シート２０も、単層シート又は積層シートのいずれであってもよい。また、補助シート２０は、包装シート１０と同じ材料からなっていてもよいし、異なる材料からなっていてもよい。さらに、補助シート２０は、少なくとも部分的に、粘着剤層に対する剥離面を有していてもよい。剥離面とは、例えば、上述の材料からなる基材に、剥離加工を施すことによって形成することができる表面部分である。剥離加工は、例えば、シリコーン系樹脂、フッ素系樹脂、又は四フッ化エチレン系樹脂などの剥離処理液（離型処理液）を塗工又は噴霧することによって施すことができる。
【００６０】
なお、図１〜図３に示した形態では、補助シート２０の短手方向Ｄ２の長さＷは、包装する吸収性物品１の吸収体４の短手方向Ｄ２の長さ（幅）よりも小さく、吸収性物品１の吸収体４の短手方向Ｄ２の長さの７０％以下である。しかし、補助シート２０の短手方向Ｄ２の長さＷは図示のものに限られず、例えば、包装する吸収性物品１の吸収体４の短手方向Ｄ２長さの例えば８０％以上、或いは上記吸収体４の短手方向Ｄ２長さ同程度又はそれを超える大きさとしてもよい。但し、補助シート２０の短手方向Ｄ２の長さＷは、上述のように、包装シート１０の短手方向Ｄ２端部がシールされる場合には、シール部に重ならない長さとすることが好ましく、吸収性物品１自体の短手方向長さ（幅）以下とすることがより好ましい。
【００６１】
補助シート２０の短手方向Ｄ２の長さＷを大きくすることで、使用済み物品を包む際に、使用者が包装シート２０の先端を安定的に把持することができ、包装シート１０を安定的に引っ張ることができる。また、補助シート２０自体でも、使用済み物品を広い面積で覆うことができるので、使用済み物品に触れる機会を減らすことができ、衛生的である。
【００６２】
さらに、以下、本形態による包装構造体の変形例について説明する。以下の例は、包装構造体に含まれる粘着剤層に係る変形例である。
【００６３】
図６に、本形態の第１変形例による包装構造体１５０を示す。図６は、包装構造体１５０の長手方向Ｄ１に沿った断面図である。図６（ａ）に、補助シート２０を裏返す前の状態を示し、図６（ｂ）には、補助シート２０を裏返した後の状態を示す。図６（ａ）及び（ｂ）は、包装構造体５０について説明した図３（ｂ）及び（ｃ）に示す断面図にそれぞれ対応しているといえる。
【００６４】
図６に示す第１変形例による包装構造体１５０の基本的な構造及び機能は、上述の包装構造体５０（図１〜図３）と同様である。すなわち、包装構造体１５０は、包装シート１０と、包装シート１０に重ねられた補助シート２０とを備えており、補助シート２０は、包装シート１０に対し固着された固着部２１と、包装シート１０から剥離可能な粘着部２２（２２ａ、２２ｂ）とを備えている。また、図６（ａ）に示す補助シート２０を捲って裏返す前の段階では、包装シート１０と補助シート２０との間には、固着部２１において固着用の接着剤層４５が配置されており、粘着部２２（２２ａ、２２ｂ）において、粘着剤層４１（４１ａ、４１ｂ）が配置されている。
【００６５】
さらに、包装構造体１５０は、図６（ｂ）に示すように、固着部２１を基点として補助シート２０を裏返すことで、包装シート１０の長手方向Ｄ１の端縁を越えて延出可能に構成されている。ここで、上述の包装構造体５０（図１〜図３）では、補助シート２０を裏返した後、粘着剤層（下側粘着剤層）４１は、補助シート２０に付随し、補助シート２０の裏返された面上に配置される。これに対し、本例における包装構造体１５０では、図６（ｂ）に示すように、粘着剤層４１は、補助シート２０に付随するとともに、包装シート１０にも付随している。すなわち、粘着剤層４１ａが、補助シート２０側に残った粘着剤層部分４１ａ'と、包装シート１０側に残った粘着剤層部分４１ａ''とに分離し、同様に、粘着剤層４１ｂが、補助シート２０側に残った粘着剤層部分４１ｂ'と、包装シート１０側に残った粘着剤層部分４１ｂ''とに分離している。
【００６６】
本例の構成によれば、補助シート２０を裏返した後、粘着剤層が、補助シート２０のみならず、包装シート１０の内面にも形成されるので、包装構造体１５０で使用済み物品を包んだ場合（図４）に、包装シート１０と、包装シート１０に直接接触し得る部分、すなわち使用済み物品、補助シート２０、及び包装シート１０の別の部分とをより確実に貼り付けることができる。
【００６７】
下側粘着剤層４１の部分を、補助シート２０のみならず、包装シート１０の内面にも形成できるようにするには、粘着剤層４１を構成する粘着剤と補助シート２０の表面との親和性と、粘着剤と包装シート１０の表面との親和性とのバランスを調整することが挙げられる。例えば、包装シート１０の内面（補助シート２０が対向する面であり、吸収性物品が載置される側の面）の、少なくとも粘着剤層部分４１ａ''、４１ｂ''を形成しようとする場所を、粘着剤層４１を構成する粘着剤に対する非剥離面１６、１６とすることができる。非剥離面１６、１６は、粘着剤層に対して親和性が高く、粘着剤から剥離しにくくなっている面である。非剥離面１６、１６は、例えば、使用される粘着剤に対して親和性の高い物質を含む塗工液を塗布しておくか、又は、包装シート１０の材質によっては、単に上述の剥離加工をせずに未加工のままにすることによって形成することができる。
【００６８】
或いは、粘着剤層（下側粘着剤層）４１を、予め上下分離可能に２層に形成しておき、且つ所定の位置で、粘着剤層４１と補助シート２０との親和性、及び粘着剤層４１と包装シート１０との親和性の両方を高めておくこともできる。これにより、補助シート２０を裏返した際、粘着剤層を２層に分離させて、一方が補助シート２０側に、他方が包装シート１０側に配置されるようにすることができる。
【００６９】
粘着剤の種類、並びに補助シート２０の表面状態及び包装シート１０の表面状態を調整し、補助シート２０を裏返した後に、粘着剤層（下側粘着剤層）４１が包装シート１０側にのみ配置されるようにすることもできる。
【００７０】
図７に、本形態の第２変形例による包装構造体２５０を示す。第２変形例による包装構造体２５０については、斜視図を参照して説明する。図７（ａ）は、包装構造体２５０の上に吸収性物品１が載置された状態の図である。図７（ｂ）には、吸収性物品１が取り去られた後の包装構造体２５０を、図７（ｃ）には、包装構造体２５０の補助シート２０が裏返された後の状態を示す。
【００７１】
図７に示す第２変形例による包装構造体２５０の基本的な構造及び機能は、上述の包装構造体５０（図１〜図３）、及び第１変形例による包装構造体１５０（図６）と同様である。すなわち、図７（ａ）〜（ｂ）に示すように、包装構造体１５は、包装シート１０と、包装シート１０に重ねられた補助シート２０とを備えており、補助シート２０は、包装シート１０に対し固着された固着部２１と、包装シート１０から剥離可能な粘着部２２（２２ａ、２２ｂ）とを備えている。
【００７２】
図７（ａ）に示すように、上側粘着剤層４２は、長手方向Ｄ１に沿って延びる帯状の複数の粘着剤層４２ａ、４２ｂ、４２ｃとして構成されている。
【００７３】
図２及び図３を参照して説明した例では、吸収性物品１が包装構造体５０から取り外される際に、上側粘着剤層４２は、吸収性物品１に付随して包装構造体５０から取り去られ（図３（ａ））、吸収性物品１のズレ止め材として機能する。一方、本例による包装構造体２５０は、吸収性物品１を包装構造体２５０から取り外す際に、上側粘着剤層４２の一部分は吸収性物品１に付随するが、別の部分は包装構造体２５０、具体的には補助シート２０に留まるように構成されている。
【００７４】
すなわち、図７（ｂ）に示すように、吸収性物品１を取り外した後には、吸収性物品１の裏面シート側には、粘着剤層４２ａ、４２ｃが配置されて、包装構造体２５０の補助シート２０上には、粘着剤層４２ｂが配置されている。このように、本例では、補助シート２０の上側（包装シート１０に対向する側とは反対側）にも粘着剤層が形成されることになる。
【００７５】
補助シート２０の上側に粘着剤層が形成されていることで、例えば図４を参照して説明した包み動作においては、使用済み物品１ａに被せられた補助シート２０の上に、さらに包装シート１０を被せる場合に、補助シート２０と包装シート１０とを良好に粘着させることができる。これにより、図４に示すような包み動作をより確実にでき、包んだ後も包装構造体２５０が使用済み物品１ａから外れにくくなる。
【００７６】
また、図５を参照して説明した包み動作においては、補助シート２０及び包装シート１０を巻き付ける際には、タブテープ１５を補助シート２０の包装シート１０に対向する側と反対側の面（裏返し前に露出する面）に止着させることになり得る（図５（ｄ））。その場合、図７（ｂ）に示すように、上側粘着剤層４２が補助シート２０の上側に残っていれば、タブテープ１５と補助シート２０とをより確実に止着させることができる。特に、タブテープ１５は短手方向Ｄ２の中央付近に設けられているので、上側粘着剤層４２のうち、中央の粘着剤層４２ｂが補助シート２０に配置されるよう構成されている場合には、タブテープ１５を補助シート２０に良好に止着させることができる。
【００７７】
本例のように、上側粘着剤層４２の一部分を吸収性物品１に、別部分を補助シート２０に移行させるためには、上側粘着剤層４２を構成する粘着剤と吸収性物品１の裏面シートとの親和性と、粘着剤と補助シート２０の表面との親和性とのバランスを調整することができる。例えば、吸収性物品１の裏面シートにおいて、粘着剤層４２ｂが配置される部分を剥離面とし、粘着剤層４２ａ、４２ｃが配置される部分を非剥離面としておくことができる。
【００７８】
このように、本形態による包装構造体では、包装シート１０及び補助シート２０が粘着剤層を備えたものを提供することができ、このような粘着剤層は、使用済みの吸収性物品を包装構造体で包む場合に、各要素同士を、すなわち、包装シート１０若しくは補助シート２０と使用済み物品とを、包装シート１０若しくは補助シート２０とタブテープ１５とを、又はシート同士を貼り付けるために利用することができる。これにより、使用済み物品をより確実に包装し、包装後も包装構造体が使用済み物品から外れることを防止することができる。
【００７９】
なお、包装していた吸収性物品１を取外して補助シート２０を裏返した段階で露出する粘着剤層の位置、大きさ、及び数等は特に限定されない。粘着剤の種類に応じて、包装シート１０及び補助シート２０の粘着剤層に対向する面、並びに収性物品１の裏面シート２側の面の、粘着剤に対する親和性を調整することによって、所望の位置、大きさ、及び数の粘着剤層を備えた包装構造体を提供することができる。
【符号の説明】
【００８０】
１  吸収性物品
１ａ  使用済み吸収性物品
２  裏面シート
３  表面シート
４  吸収体
１０  包装シート
１１  長手方向の一端
１２  長手方向の他端
１５  タブテープ
１６  包装シートの非剥離面
２０  補助シート
２１  固着部
２２、２２ａ、２２ｂ  粘着部
４１、４１ａ、４１ｂ  粘着剤層（下側粘着剤層）
４２、４２ａ、４２ｂ、４２ｃ  粘着剤層（上側粘着剤層）
４５  固着用接着剤層
５０、１５０、２５０  包装構造体
１００  包装吸収性物品
Ｄ１  包装シート及び包装構造体の長手方向
Ｄ２  包装シート及び包装構造体の短手方向
Ｌ  補助シートの長手方向長さ
Ｗ  補助シートの短手方向長さ
【図１】
2020162652.tif 000003
【図２】
2020162652.tif 000004
【図３】
2020162652.tif 000005
【図４】
2020162652.tif 000006
【図５】
2020162652.tif 000007
【図６】
2020162652.tif 000008
【図７】
2020162652.tif 000009